(57)【要約】【課題】アンテナ部を保護でき、また、給電ケーブルの給電部への接続が容易に行え、樋体外面から給電ケーブルの接続部分までの突出距離を短くできる。【解決手段】雨水を流すための樋体１と、この樋体１の外面に重複されるアンテナ部２を有する金属板３を被覆材４で被覆して形成したアンテナ板５とを備える。アンテナ板５の一部を樋体１の外面から離れる方向に突出するよう切り起こして切起こし部６を形成する。この切起こし部６に貫通孔７を有し且つ樋体１の外面と隙間８を介して対向する給電部９を設ける。隙間８に貫通孔７と連通するようにナット１０を配置する。給電ケーブル１１の端部に設けた端子１２の孔１３に挿入したビス１４を貫通孔７を通してナット１０に螺合する。金属板３が、端子１２又は前記ビス１４又は前記ナット１０と接触する電気的接続部１５を設ける。【選択図】図１
2012195859.tif 000002
【特許請求の範囲】
【請求項１】
雨水を流すための樋体と、この樋体の外面に重複されるアンテナ部を有する金属板を被覆材で被覆して形成したアンテナ板とを備え、
前記アンテナ板の一部を前記樋体の外面から離れる方向に突出するよう切り起こして切起こし部を形成し、この切起こし部に貫通孔を有し且つ前記樋体の外面と隙間を介して対向する給電部を設け、
前記隙間に前記貫通孔と連通するようにナットを配置し、給電ケーブルの端部に設けた端子の孔に挿入したビスを前記貫通孔を通して前記ナットに螺合し、前記金属板が、前記端子又は前記ビス又は前記ナットと接触する電気的接続部を設けることを特徴とするアンテナ付き樋。
【請求項２】
前記貫通孔内において前記ビスと前記金属板とを接触させることを特徴とする請求項１記載のアンテナ付き樋。
【請求項３】
前記給電部に前記被覆材が存在しない金属板露出部を形成し、この金属板露出部に前記端子を接触させることを特徴とする請求項１又は請求項２記載のアンテナ付き樋。
【請求項４】
前記貫通孔の上縁部又は下縁部に上方又は下方に突出するバリ部を形成し、このバリ部において前記金属板を前記端子又は前記ナットに接触させることを特徴とする請求項１記載のアンテナ付き樋。
【請求項５】
前記端子と前記給電部との間に食い込み突起付き金属ワッシャを介在し、この金属ワッシャの前記食い込み突起を前記被覆材に食い込ませて前記金属板に接触させ、且つ、金属ワッシャを前記端子に接触させることを特徴とする請求項１又は請求項２記載のアンテナ付き樋。
【請求項６】
前記一対の隙間の側方開口を対向させ、前記一対のナットを埋設した樹脂成形品を前記一対の隙間にわたって配置し、前記一対のナットを前記一対の給電部の貫通孔に連通することを特徴とする請求項１乃至請求項５のいずれか一項に記載のアンテナ付き樋。
【発明の詳細な説明】
【技術分野】
【０００１】
本発明は、アンテナ付き樋に関するものである。
【背景技術】
【０００２】
特許文献１には、既に施工されている竪樋の外面にアンテナ部を取付ける技術が開示されている。
【０００３】
このアンテナ部は、半円筒状の折り返し部の側方に半円筒状の給電部を突出した導電体からなるアンテナ素体を２枚組み合わせて構成される。
【０００４】
アンテナ部は、既に施工されている竪樋の長手方向の中間部の外面側に、２枚のアンテナ素体の折り返し部を配置し、ねじにより２枚のアンテナ素体を連結することで、竪樋に取付ける。
【０００５】
アンテナ部を竪樋外面側に取付けた状態で、半円筒状の給電部が竪樋の外面から側方に突出する。この突出した給電部の突出先端には、端子板がねじ止めされており、端子板に給電ケーブルの端部を接続するための孔が形成されている。
【先行技術文献】
【特許文献】
【０００６】
【特許文献１】特開平１−１６８１０１号公報
【発明の概要】
【発明が解決しようとする課題】
【０００７】
特許文献１に示された従来例は以下の問題点がある。
【０００８】
竪樋の外面に導電体からなるアンテナ素体が取付けられるので、雨、太陽光、外気に導電体が晒され、劣化によるアンテナ性能の低下のおそれがある。
【０００９】
また、竪樋の外面から側方に突出した給電部の突出先端の端子板の孔を利用して給電ケーブルの端部をビス、ナットなどで接続するので、一方の手でナットを支持した状態で、他方の手でビスを操作して接続作業をする必要がある。このため、給電ケーブルの端部を給電部に接続する作業がし難く、また、ナットを落として紛失するおそれがある。
【００１０】
給電部、端子板が竪樋外面から側方に突出しているため、竪樋の外面から給電ケーブルとの電気的接続部分までの突出距離が長くなり、竪樋としての外観を損ね、建物の価値が低下し、また、給電部への給電ケーブルの接続部分に人や物が引っ掛かりやすい。
【００１１】
本発明の目的は、アンテナ部を保護でき、また、給電ケーブルの給電部への接続が容易に行え、樋体外面から給電ケーブルの接続部分までの突出距離を短くできるアンテナ付き樋を提供するにある。
【課題を解決するための手段】
【００１２】
本発明のアンテナ付き樋は、雨水を流すための樋体と、この樋体の外面に重複されるアンテナ部を有する金属板を被覆材で被覆して形成したアンテナ板とを備え、前記アンテナ板の一部を前記樋体の外面から離れる方向に突出するよう切り起こして切起こし部を形成し、この切起こし部に貫通孔を有し且つ前記樋体の外面と隙間を介して対向する給電部を設け、前記隙間に前記貫通孔と連通するようにナットを配置し、給電ケーブルの端部に設けた端子の孔に挿入したビスを前記貫通孔を通して前記ナットに螺合し、前記金属板が、前記端子又は前記ビス又は前記ナットと接触する電気的接続部を設けることを特徴とする。
【００１３】
また、前記貫通孔内において前記ビスと前記金属板とを接触させることが好ましい。
【００１４】
また、前記給電部に前記被覆材が存在しない金属板露出部を形成し、この金属板露出部に前記端子を接触させることが好ましい。
【００１５】
また、前記貫通孔の上縁部又は下縁部に上方又は下方に突出するバリ部を形成し、このバリ部において前記金属板を前記端子又は前記ナットに接触させることが好ましい。
【００１６】
また、前記端子と前記給電部との間に食い込み突起付き金属ワッシャを介在し、この金属ワッシャの前記食い込み突起を前記被覆材に食い込ませて前記金属板に接触させ、且つ、前記金属ワッシャを前記端子に接触させることが好ましい。
【００１７】
また、前記一対の隙間の側方開口を対向させ、前記一対のナットを埋設した樹脂成形品を前記一対の隙間にわたって配置し、前記一対のナットを前記一対の給電部の貫通孔に連通することが好ましい。
【発明の効果】
【００１８】
本発明は、金属板が被覆材で被覆されることで、金属板を保護できて、アンテナの性能低下を抑制できる。また、切起こし部に貫通孔を有し且つ樋体の外面と隙間を介して対向する給電部を設け、隙間に貫通孔と連通するようにナットを配置するので、給電ケーブルの端子を接続する作業が容易に行える。また、樋体外面から給電ケーブルの接続部分までの突出距離を短くできる。
【図面の簡単な説明】
【００１９】
【図１】本発明の一実施形態の要部拡大斜視図である。
【図２】同上の分解斜視図である。
【図３】図１のＡ−Ａ線の拡大断面図である。
【図４】同上の一部省略全体斜視図である。
【図５】同上の一部破断した斜視図である。
【図６】同上に用いるアンテナ部を備えた金属板の切り起こし部を形成する前を示し、（ａ）は表面側から見た斜視図であり、（ｂ）は背面側から見た斜視図である。
【図７】同上に用いる取付部材の斜視図である。
【図８】同上の施工状態を示す側面図である。
【図９】同上の電気的接続部の他の実施形態を示し、（ａ）は接続前の断面図であり、（ｂ）は接続後の断面図である。
【図１０】同上の電気的接続部の他の実施形態を示し、（ａ）は接続前の断面図であり、（ｂ）は接続後の断面図である。
【図１１】同上の電気的接続部の他の実施形態を示し、（ａ）は接続後の断面図であり、（ｂ）はワッシャの斜視図である。
【図１２】本発明の他の実施形態を示す要部拡大斜視図である。
【図１３】同上の分解斜視図である。
【発明を実施するための形態】
【００２０】
図１乃至図８に一実施形態を示す。
【００２１】
アンテナ付き樋２２は、基本的構成要素として、雨水を流すための樋体１と、この樋体１の外面に重複されるアンテナ板５を備える。
【００２２】
図１乃至図８の実施形態では、アンテナ付き樋２２は、更に、筒状をした樋体１を覆う外筒部２３を備えることで二重筒構造となっており、また、長手方向の端部に、樋体１に連通接続する接続体２４を備える。
【００２３】
アンテナ板５は、アンテナ部２を有する金属板３を被覆材４で被覆して形成される。
【００２４】
アンテナ部２は、導電性の縦長矩形状の薄い金属板３（金属箔も含まれる）に樋体１の軸方向に沿って長く形成されたスロット２８を設けたスロットアンテナにより構成される。
【００２５】
図６の実施形態では、金属板３に形成するアンテナ部２にはスロット２８が上下方向に複数並べて設けられており、隣接するスロット２８同士は細溝２５で接続されている。各スロット２８は三角形の頂点を互いに突き合わせたようなボウタイ形状に形成されている。
【００２６】
アンテナ部２は、第一の周波数帯（例えば４７３〜６００ＭＨｚ）の電波を受信する第一の受信部２９と、第二の周波数帯（例えば６００〜７２０ＭＨｚ）の電波を受信する第二の受信部３０を有している。
【００２７】
第一の受信部２９は、スロット２８及び当該スロット２８の周縁部により構成される。第二の受信部３０は、このスロット２８に対し上下方向に隣接する鋼板部分により構成される。
【００２８】
第一の受信部２９を構成するスロット２８の上下方向の長さは、前記第一の周波数帯内の電波の電気的な半波長の長さと同じである。また、第二の受信部３０の周方向の長さは、前記第二の周波数帯内の電波の電気的な半波長の長さと同じである。
【００２９】
すなわち、第一の周波数帯内の中心周波数が５３６．５ＭＨｚであり、第一の周波数帯内の電波の電気的な半波長λ／２は約２８ｃｍであることから、各スロット２８の上下方向の長さは約２８ｃｍとなっている。また、第二の周波数帯の中心周波数が６６０ＭＨｚであり、第二の周波数帯内の電波の電気的な半波長λ／２は約２３ｃｍであることから、第二の受信部３０の周方向の長さは約２３ｃｍとなっている。
【００３０】
被覆材４は、例えばＰＥＴのような電気絶縁性を有する合成樹脂フィルムであり、この合成樹脂フィルムが金属板３の表裏両面又は表面側に重ねて接着されることで、金属板３が外部（少なくとも表面側）に露出しないように被覆材４で被覆される。
【００３１】
アンテナ板５の一部を表面側に切込みを入れて略断面台形状又は略Ｌ字状に切起こすことで切起こし部６が形成される。この切起こし部６の突出部となる片に表裏に貫通する貫通孔７が形成され、貫通孔７が形成された片部分が給電部９として構成される。
【００３２】
図６の実施形態では、スロット２８の両側の三角形状の部分の頂点部分に対応した部分に切起こし部６が形成された例を示している。
【００３３】
アンテナ部２を有する金属板３を被覆材４で被覆して形成したアンテナ板５は、水平断面Ｃ字状又は多角形状となるよう上下方向に一様に湾曲させて円筒状又は角筒状の樋体１の外周面に巻いて重ね、接着や取付部材３１を用いて取付けられる。
【００３４】
添付図面に示す実施形態は、図７に示すような取付部材３１を用いて図４、図５に示すように取付けた例を示している。
【００３５】
アンテナ板５を樋体１の外面に重ねて取付けた状態で、給電部９となる横片が樋体１の外面から離れる方向に突出して位置することとなり、樋体１の外面と給電部９との間に隙間８が形成される。
【００３６】
この隙間８にはナット１０が入れられ、ナット１０と貫通孔７とが連通するように配置される。隙間８は、ナット１０を配置した状態で、ナット１０ががたつかないような大きさに形成され、ナットは、隙間８に配置することで切起こし部６に保持される。
【００３７】
また、切起こし部６を形成するための切込みは、上下方向に切り込まれて切起こされるので隙間８は側方に開口することになり、隙間８にナット１０を配置した状態で切起こし部６の下側のアンテナ板５との連続部によりナット１０が落下するのが抑制される。
【００３８】
給電ケーブル１１は同軸ケーブルからなる。同軸ケーブルは、内側の導線３２の外側を絶縁層３３で覆い、絶縁層３３の外周を編線３４で覆い、更に編線３４を外側絶縁層３５で覆うことで構成される。また、導線３２の端部、編線３４の端部にはそれぞれ、孔１３を有する端子１２が接続される。
【００３９】
図１に示すように、給電ケーブル１１における内側の導線３２の端部の端子１２が一方の給電部９に接続され、外側の編線３４の端部の端子１２が他方の給電部９に接続される。
【００４０】
各端子１２を給電部９に接続するには次のようにして行われる。
【００４１】
以下は導線３２の端部の端子１２の接続を例として説明するが、編線３４の端部の端子１２の接続も以下と同様にして行う。
【００４２】
作業者は、導線３２の端部の端子１２を一方の給電部９の表面に重ねて孔１３、貫通孔７、ナット１０のねじ孔を合わせる。
【００４３】
次に、端子１２の孔１３にビス１４を挿入し、貫通孔７を通してナット１０に螺合する。
【００４４】
ビス１４をナット１０に螺合することで、端子１２が給電部９に機械的に接続されると共に、電気的にも接続される。
【００４５】
ここで、電気的接続は以下のようにしてなされる。
【００４６】
すなわち、貫通孔７の内周面には金属板３の孔内周縁が露出し、ビス１４を貫通孔７に挿通してナット１０に螺合することで、金属板３の孔内周縁にビス１４が接触して電気的に接続される。したがって、金属板３の孔内周縁によりビス１４と接触する電気的接続部１５が構成される。
【００４７】
ここで、図９に示すように、被覆材４を給電部９の表面部分において剥離して金属板３の表面が露出する金属板露出部１６を形成し、この金属板露出部１６表面に端子１２を当接し、ビス１４を孔１３、貫通孔７に挿通してナット１０に螺合するようにしてもよい。
【００４８】
この場合は、金属板露出部１６において金属板３表面に端子１２が電気的に接触した状態で接続されるので、金属板露出部１６により電気的接続部１５が構成される。
【００４９】
外部に露出した金属板３に端子１２が面接触した状態で締め付けられるので安定して且つ確実に電気的接続がなされる。
【００５０】
図１０には電気的接続部１５の他の実施形態が示してある。本実施形態は、貫通孔７の上縁部又は下縁部に上方又は下方に突出するバリ部１７が形成され、このバリ部１７により電気的接続部１５が構成された例である。
【００５１】
バリ部１７は、貫通孔７を形成する際、貫通孔７の上縁部又は下縁部に上方又は下方に向けて貫通孔７に面する金属板３の孔縁がまくれることで形成される。
【００５２】
本実施形態では、端子１２の孔１３にビス１４を挿入し、貫通孔７を通してナット１０に螺合することで、電気的接続部１５であるバリ部１７において金属板３が端子１２又はナット１０に接触して電気的に接続される。
【００５３】
これにより、バリ部１７において金属板３が端子１２又はナット１０に確実に密着して電気的接続がなされる。
【００５４】
図１１には電気的接続部１５の他の実施形態が示してある。本実施形態は、端子１２と給電部９との間に食い込み突起１８付き金属ワッシャ１９を介在し、端子１２の孔１３にビス１４を挿入し、金属ワッシャ１９の孔３６、貫通孔７を通してナット１０に螺合した例である。
【００５５】
本実施形態では、食い込み突起１８付き金属ワッシャ１９が被覆材４に食い込んで給電部９の金属板３に接触する。したがって、金属板３の金属ワッシャ１９が接触する部位が電気的接続部１５となり、電気的接続部１５が金属ワッシャ１９を介してビス１４に電気的に接続される。
【００５６】
これにより、食い込み突起１８付き金属ワッシャ１９を介して金属板３がビス１４に確実に接触して電気的接続がなされる。
【００５７】
図１２には電気的接続部１５の他の実施形態が示してある。本実施形態は、アンテナ板５のスロット２８の両側をそれぞれ略Ｌ字状に切起こして一対の切起こし部６が形成される。一対の略Ｌ字状の切起こし部６の先端は互いに対向するように形成され、一対の切起こし部６の隙間８の側方開口２０が互いに対向するように形成される。
【００５８】
また、本実施形態に用いるナット１０は、樹脂成形品２１に埋設したものが使用される。ここで、樹脂成形品２１は直方体形状をしたもので、左右両側に一対のナット１０が埋設される。
【００５９】
一対のナット１０を埋設した樹脂成形品２１は、両側を一対の切起こし部６の下方に嵌め込まれることで、一対の隙間８にわたって配置される。一対のナット１０間の寸法は、それぞれ一対の切起こし部６の給電部９に形成した貫通孔７と連通するような寸法関係になっている。
【００６０】
接続に当って、作業者は、一方の端子１２を一方の給電部９の表面に重ねて孔１３、一方の貫通孔７、一方のナット１０のねじ孔を合わせる。
【００６１】
次に、一方の端子１２の孔１３にビス１４を挿入し、一方の貫通孔７を通して一方のナット１０に螺合する。
【００６２】
このように、一方の端子１２を、ビス１４を用いて一方のナット１０に螺合して一方の給電部９を接続することで樹脂成形品２１が固定され、他方のナット１０と他方の給電部９の貫通孔７とが連通することになる。これにより、他方の端子１２の孔１３にビス１４を挿入し、他方の貫通孔７を通して他方のナット１０に螺合する作業が容易に行われる。
【００６３】
本実施形態において、電気的接続部１５の構成としては前述の各実施形態のいずれを採用してもよい。
【００６４】
前述のように端部に設けた端子１２を給電部９に機械的、電気的に接続された給電ケーブル１１は樋体１の外面に巻付けられたアンテナ板５の外面に樋体１の軸方向に沿って配置される。
【００６５】
軸方向に沿って配置するに当っては、スロット２８を避けて配置される。
【００６６】
アンテナ板５を樋体１の外周面に取付けるための取付部材３１は、非導電性の合成樹脂のような非導電性材料により形成されている。また、図７のように、取付部材３１は、一対の半体３８の一端部同士を軸受部３９で回動自在に連結して構成され、一対の半体３８の他端部の係止部４０と被係止部４１が係止自在となっている。
【００６７】
取付部材３１は、給電ケーブル１１のアンテナ板５に対する位置を保持するケーブル保持部４２を備え、このケーブル保持部４２に給電ケーブル１１が保持される。
【００６８】
また、各取付部材３１は、径外方向に突出する複数の突出部を有する。本実施形態の取付部材３１は、軸受部３９と、係止部４０及び被係止部４１と、ケーブル保持部４２との計４箇所の突出部を有する。突出部は周方向に等間隔で配置されており、すなわち９０°ごとに径外方向に突出する。
【００６９】
外周にアンテナ板５を巻いた樋体１に外筒部２３を被せることで、二重筒構造のアンテナ付き樋２２が構成される。
【００７０】
この場合、取付部材３１に突出部を設けているので、外周にアンテナ板５を巻いた樋体１は、中心が外筒部２３の略中心に配置されると共に、外筒部２３の内周面に当接又は近接対向するようになる。
【００７１】
端子１２を給電部９に機械的、電気的に接続する部分は、樋体１の外面から径方向の外側に、ナット１０、給電部９、端子１２、ビス１４の頭部がコンパクトに積層された状態となり、樋体１の外面からビス１４の頭部までの突出長さを短くすることが可能となる。
【００７２】
したがって、ビス１４の頭部が、取付部材３１の突出部とほぼ同じ突出長さ又は短い突出長さとすることが可能となり、端子１２を給電部９に機械的、電気的に接続する部分を、樋体１と外筒部２３との間のスペース内に配置することが可能となる。
【００７３】
このように、外筒部２３により端子１２を給電部９に機械的、電気的に接続する部分が外部に露出しないように覆うことで、雨水、外気、太陽光に晒されず、劣化が抑制される。
【００７４】
また、端子１２を給電部９に機械的、電気的に接続する部分に、人や物が引っ掛かるのが防止される。
【００７５】
二重筒構造のアンテナ付き樋２２は、長手方向の端部に、接続体２４が備えられ、上下の接続体２４に樋体１と、外筒部２３の上下方向の両端部が接続され、上下の接続体２４は樋体１に連通する。
【００７６】
樋体１の軸方向に沿った給電ケーブル１１は、図４、図５のように、接続体２４に設けた引出部４３に至り、給電ケーブル１１の端部に設けた接続具４４が引出部４３を構成する孔に嵌め込んで取付けられる。
【００７７】
接続具４４には、テレビ側ケーブル４５の端部に設けた接続具が電気的に接続される。このテレビ側ケーブル４５は、建物４６の外壁４７や軒天井４８から建物内に導入され、既存の建物４６内のテレビ側に接続される。
【００７８】
図８は、アンテナ付き樋２２が竪樋の一部として用いられた例を示している。図８において、符号４９は軒樋、５０は集水器、５１はエルボ、５２は呼び樋、５３は一般の竪樋を示している。
【００７９】
アンテナ付き樋２２を竪樋の一部として用いる場合、アンテナ付き樋２２の接続体２４を一般の竪樋５３やエルボ５１に接続し、筒状をした樋体１内に雨水を流す。
【００８０】
接続の際、アンテナ付き樋２２を軸芯を中心に回転して、アンテナ部２を最も強い受信方向に向ける。
【００８１】
なお、前述の実施形態においては、アンテナ付き樋２２が筒状をした竪樋の一部を構成する例を示しているが、呼び樋５２のような他の筒状樋であってもよく、また、軒樋４９であってもよい。
【００８２】
また、前述の実施形態においては、外筒部２３を設けた例で説明したが、外筒部２３を設けないものであってもよい。
【００８３】
この場合も、端子１２を給電部９に機械的、電気的に接続する部分の突出長さを短くでき、人や物が引っ掛かるのが抑制される。
【符号の説明】
【００８４】
１  樋体
２  アンテナ部
３  金属板
４  被覆材
５  アンテナ板
６  切起こし部
７  貫通孔
８  隙間
９  給電部
１０  ナット
１１  給電ケーブル
１２  端子
１３  孔
１４  ビス
１５  電気的接続部
１６  金属板露出部
１７  バリ部
１８  食い込み突起
１９  金属ワッシャ
２０  側方開口
２１  樹脂成形品
【図１】
2012195859.tif 000003
【図２】
2012195859.tif 000004
【図３】
2012195859.tif 000005
【図４】
2012195859.tif 000006
【図５】
2012195859.tif 000007
【図６】
2012195859.tif 000008
【図７】
2012195859.tif 000009
【図８】
2012195859.tif 000010
【図９】
2012195859.tif 000011
【図１０】
2012195859.tif 000012
【図１１】
2012195859.tif 000013
【図１２】
2012195859.tif 000014
【図１３】
2012195859.tif 000015